(57)【要約】【課題】筺体の背面を覆うカバーを外れ難くすることで、電子機器の分解を困難にすることのできる電子機器を提供する。【解決手段】本発明に係る電子機器は、前面筺体２２と背面筺体３０の内部に電子部品を収容し、前記背面筺体側から１又は複数のビス７０，７２によって前記前面筺体と前記背面筺体とを固定してなる筺体２０と、前記背面筺体の少なくとも１の前記ビス７０を覆い、前記背面筺体に取り付けられるカバー４０と、を具え、前記背面筺体の背面に形成され、前記カバーの側方への移動を抑制する第１係合部５０，５２と、前記カバーに形成され、前記第１係合部と係合する第１係合受部６０，６２と、前記背面筺体の側面に形成され、前記カバーの背面方向への移動を抑制する第２係合部５４と、前記カバーに形成され、前記第２係合部と係合する第２係合受部６４と、を具える。【選択図】図１
2014232974.tif 000002
【特許請求の範囲】
【請求項１】
前面筺体と背面筺体の内部に電子部品を収容し、前記背面筺体側から１又は複数のビスによって前記前面筺体と前記背面筺体とを固定してなる筺体と、
前記背面筺体の少なくとも１の前記ビスを覆い、前記背面筺体に取り付けられるカバーと、
を具え、
前記背面筺体の背面に形成され、前記カバーの側方への移動を抑制する第１係合部と、
前記カバーに形成され、前記第１係合部と係合する第１係合受部と、
前記背面筺体の側面に形成され、前記カバーの背面方向への移動を抑制する第２係合部と、
前記カバーに形成され、前記第２係合部と係合する第２係合受部と、
を具える、
電子機器。
【請求項２】
前記第１係合部は、前記背面筺体の背面に突設された突条であり、
前記第１係合受部は、前記カバーに凹設された有底又は貫通した溝条である、
請求項１に記載の電子機器。
【請求項３】
前記第１係合部は、前記背面筺体の背面に凹設された有底又は貫通した溝条であり、
前記第１係合受部は、前記カバーに突設された突条である、
請求項１に記載の電子機器。
【請求項４】
前記第２係合部は、前記背面筺体の側面に略垂直に形成された引掛部であり、
前記第２係合受部は、前記カバーに前記引掛部と略平行に形成された当接部である、
請求項１乃至請求項３の何れかに記載の電子機器。
【請求項５】
前記第１係合部、前記第１係合受部、前記第２係合部、前記第２係合受部は、複数形成される、
請求項１乃至請求項４の何れかにに記載の電子機器。
【請求項６】
前記カバーは、開口を有しており、該開口には、蓋体が着脱可能であって、
前記カバーは、前記蓋体を取り外した状態で、少なくとも１の前記ビスを視認不能に覆っている、
請求項１乃至請求項５の何れかに記載の電子機器。
【発明の詳細な説明】
【技術分野】
【０００１】
本発明は、スマートフォンや携帯電話機、携帯型音楽プレーヤなどの電子機器に関するものである。
【背景技術】
【０００２】
スマートフォン、携帯電話機、携帯型音楽プレーヤ、携帯型ゲーム機などの電子機器では、電子部品を実装した筺体の外装を化粧カバーや蓋体などのカバーで覆っている。
【０００３】
筺体は、たとえば、前面筺体と背面筐体とをビス止めして構成されており、前面筺体には表示部を有し、背面筺体には、バッテリやメモリカードなどの収容室が形成されている（たとえば、特許文献１の図７参照）。ユーザによりバッテリやメモリカードの挿脱を行なうために、背面筺体には、上述したカバーが着脱可能となっている。
【先行技術文献】
【特許文献】
【０００４】
【特許文献１】特開２０１２−８０３５９号公報
【発明の概要】
【発明が解決しようとする課題】
【０００５】
カバーを取り外したときに、背面筺体にビスが露出しているため、ユーザによっては、そのビスを取り外して、電子機器の分解や改造などを試みてしまう虞がある。
【０００６】
本発明の目的は、筺体の背面を覆うカバーを外れ難くすることで、電子機器の分解を困難にすることのできる電子機器を提供することである。
【課題を解決するための手段】
【０００７】
本発明に係る電子機器は、
前面筺体と背面筺体の内部に電子部品を収容し、前記背面筺体側から１又は複数のビスによって前記前面筺体と前記背面筺体とを固定してなる筺体と、
前記背面筺体の少なくとも１の前記ビスを覆い、前記背面筺体に取り付けられるカバーと、
を具え、
前記背面筺体の背面に形成され、前記カバーの側方への移動を抑制する第１係合部と、
前記カバーに形成され、前記第１係合部と係合する第１係合受部と、
前記背面筺体の側面に形成され、前記カバーの背面方向への移動を抑制する第２係合部と、
前記カバーに形成され、前記第２係合部と係合する第２係合受部と、
を具える。
【発明の効果】
【０００８】
本発明に係る電子機器によれば、カバーは、背面筺体に対して、第１係合部と第１係合受部との係合により側方へ移動が規制され、第２係合部と第２係合受部との係合により背面方向への移動が規制される。従って、カバーを背面筺体から取り外し難くすることができる。
このため、上記カバーで背面筺体に取り付けられているビスの少なくとも１を隠すことで、筺体の分解は困難となる。
【図面の簡単な説明】
【０００９】
【図１】図１は、本発明の一実施形態に係る電子機器の分解斜視図である。
【図２】図２は、背面筺体の背面図である。
【図３】図３は、本発明の一実施形態に係る嵌合部のカバーの第１係合受部と第２係合受部とを拡大して示す斜視図であって、図１の丸囲み部分を矢印III方向から見た拡大斜視図である。
【図４】図４は、図１の線IV−IVに沿う要部拡大断面図である。
【図５】図５は、図１の線Ｖ−Ｖに沿う要部拡大断面図である。
【発明を実施するための形態】
【００１０】
以下、本発明をスマートフォンに適用した実施形態について図面を参照しながら説明する。なお、本発明を適用可能な電子機器１０として、スマートフォン以外に、携帯電話機、ＰＤＡ（Personal  Digital  Assistant）、タブレット型端末、携帯型音楽プレーヤ、携帯型ゲーム機などを例示することができる。
【００１１】
本明細書において、説明を判り易くするため、前面、背面、側面等の名称、或いは、前方、背面方向、側方等の方向を図面に基づいて便宜上規定するが、これら名称等により、本発明を限縮して解釈すべきでないことは明らかであろう。たとえば、カバー４０が電子機器１０に装着される場合には、背面は側面と読み替えられる。
【００１２】
図１は、本発明の一実施形態に係る電子機器１０の分解斜視図であり、図２は、背面筺体３０の背面図である。電子機器１０は、電子部品を内部に収容した筺体２０と、該筺体２０を背面から覆うカバー４０とを有する。図示の実施形態では、カバー４０は、蓋体４８を着脱可能な構成としている。
【００１３】
図１に示すように、筺体２０は、前方側となる前面筺体２２と背面側となる背面筺体３０を具える。前面筺体２２は、背面筺体３０よりも側面全体が僅かに突出した縁部２４を有しており、この縁部２４は、カバー４０の端縁と当接する。
なお、図示はしていないが、筺体２０の前面や側面に化粧カバーを取り付けている場合には、これら化粧カバーも前面筺体２２又は背面筺体３０の一部として本明細書では取り扱う。
【００１４】
前面筺体２２と背面筺体３０は、ビス７０，７２により固定される。ビス７０は、図示の実施形態では、背面筺体３０の背面側の上端角部に位置し、ビス７２は、背面筺体３０の背面側の下端角部に位置している。
【００１５】
背面筺体３０には、図１及び図２に示すように、スマートフォンの一般的な構成として、スマートフォンの一般的な構成として、撮像用のカメラ３４が配置されている。その他、スピーカやフラッシュ等が配置されていてもよい。カメラ３４の下方には、バッテリやＳＩＭ（Subscriber  Identity  Module）カード、メモリカードなどを収容する収容室３６が凹設されている。
【００１６】
また、後述するとおり、背面筺体３０の背面及び側面には、カバー４０を係合するための係合部５０，５２，５４が１又は複数形成される。
【００１７】
カバー４０は、背面筺体３０の少なくとも一部、望ましくは全体を覆っている。カバー４０は、樹脂製とし、外面に着色等の装飾を施した化粧カバーを採用することができる。
【００１８】
カバー４０は、背面筺体３０に形成された係合部５０，５２，５４と係合可能な係合受部６０，６２，６４が１又は複数形成されており、係合受部６０，６２，６４を係合部５０，５２，５４に嵌め合わせることで、カバー４０は、背面筺体３０に装着可能となっている。
【００１９】
本実施形態では、カバー４０には、前記バッテリ等の収容室３６を覆う蓋体４８が着脱可能となっている。より詳細には、カバー４０は、背面筺体３０の上側を覆う上覆面４２と、該上覆面４２の両側から下方に向けて延びる側枠４４，４４と、側枠４４，４４の下端を連繋する下枠４６を具え、上覆面４２、側枠４４，４４及び下枠４６により形成される蓋体用開口４７を蓋体４８が塞いでいる。
【００２０】
上覆面４２は、図１に示すように、背面筺体３０に配備されたカメラ３４と対向する位置に開口４３が形成されている。上覆面４２の裏面には、１又は複数の係合片（図示せず）が前面に向けて突設されており、背面筺体３０に形成された凹部３２に嵌まって、上覆面４２を位置決めする。
【００２１】
上覆面４２は、カバー４０を背面筺体３０に装着した際に、上記した前面筺体２２と背面筺体３０とを固定するビス７０が視認不能となるように覆っている。
【００２２】
側枠４４は、図１に示すように、背面筺体３０の背面側の側方周縁と側面とを覆うよう細幅に形成されている。側枠４４には、背面筺体３０の係合部５０，５２，５４と係合する係合受部６０，６２，６４（後述する）が形成される。
なお、図示の実施形態では、側枠４４は断面がやや曲面形状となるように形成されている。
【００２３】
また、下枠４６は、背面筺体３０の背面側の下方周縁と側面とを覆うように細幅に形成されている。図示の実施例では、下枠４６は、側枠４４と同様断面がやや曲面形状になるように形成されている。
【００２４】
上記した側枠４４及び下枠４６は、背面筺体３０に装着する際に、容易に取り外しできないようにするためには、両面テープなどによる固定が望まれるが、何れも細幅であるため、両面テープを貼着することは困難である。また、ユーザがカバー４０を強く引っ張ることで、両面テープが剥離してしまい、修復が困難となることもある。
【００２５】
そこで、本発明では、下記に説明するような係合構造を採用することで、カバー４０を容易には取り外すことができないようにしたものである。
【００２６】
背面筺体３０とカバー４０との係合構造は、図１及び図２に示すように、背面筺体３０に形成された係合部５０，５２，５４と、図１及び図３に示すように、カバー４０に形成された係合受部６０，６２，６４とを含んでいる。図４及び図５は、係合部５０，５２，５４と係合受部６０，６２，６４との係合状態を示す断面図である。
【００２７】
背面筺体３０に形成される係合部は、背面筺体３０の背面側に形成される第１係合部５０，５２と、背面筺体３０の側面に形成される第２係合部５４である。
【００２８】
参照符号５０で示す第１係合部は、図１、図２及び図４に示すように、背面筺体３０の背面側周縁に形成される。後述するとおり、本実施形態では、側枠４４に形成される第１係合受部６０は、側枠４４から内向きに突設された突片４５に形成しているため、第１係合部５０は、この突片４５と対向する位置に形成される。
【００２９】
第１係合部５０は、カバー４０の側方への移動を抑制するものであり、図に示すような突条を例示できる。突条は、側枠４４の長手方向に延びる形状とすることで、第１係合受部６０との当たり面を大きくすることができ、より強固な係合状態を維持することができる。
【００３０】
図示の実施形態では、図２に示すように背面側から見て、背面筺体３０の背面の左側に２箇所、右側に４箇所の第１係合部５０を形成している。
【００３１】
また、第１係合部の異なる形態として、参照符号５２で示す第１係合部も、図１、図２及び図４に示すように、背面筺体３０の背面側周縁に形成される。第１係合部５２もカバー４０の側方への移動を抑制するものであり、図に示すような有底又は貫通した溝条を例示できる。溝条は、側枠４４の長手方向に延びる形状とすることで、第１係合受部６２との当たり面を大きくすることができ、より強固な係合状態を維持することができる。なお、図示では溝条の一部は、図４に示すように前面筺体２２の縁部２４まで達している。
【００３２】
図示の実施形態では、図２に示すように背面側から見て、背面筺体３０の背面の左側に５箇所、右側に４箇所の第１係合部５２を形成している。
【００３３】
第２係合部５４は、カバー４０の背面方向への移動を抑制するものであり、図１、図２及び図５に示すように、背面筺体３０の側面であって、側枠４４によって覆われる部分に形成している。図に示すように第２係合部５４は、背面筺体３０の側面から突設された爪片５５又は凹部５５’を例示できる。爪片５５及び凹部５５’は、図５に示すように、前面側を側面に対して略垂直な引掛部５６とし、背面側を傾斜した形状とすることで、カバー４０を装着する際に、第２係合受部６４が容易に嵌まり、また、嵌まった後は外れ難くすることができる。
【００３４】
図示の実施形態では、第２係合部５４は、図２に示すように背面側から見て、背面筺体３０の左側面に４箇所、右側面に７箇所設けている。
【００３５】
第１係合部５０，５２と第２係合部５４は、近接して形成することが望ましい。第１係合部５０，５２と第１係合受部６０，６２との係合、第２係合部５４と第２係合受部６４との係合による方向の異なる係合状態が共働作用して、より強固にカバー４０を装着することができる。
【００３６】
参照符号６０で示す第１係合受部は、図１、図３及び図４に示すように、側枠４４に形成され、第１係合部５０と係合して、カバー４０の側方への移動を抑制する。図に示すように、第１係合受部６０は、突条形状の第１係合部５０に対して、第１係合部５０が嵌まる有底又は貫通した溝条を例示することができる。図示の実施形態では、溝条は、側枠４４から内向きに突設された突片４５に貫通開設している。
第１係合受部６０は、第１係合部５０に対応した数だけ形成することができる。
【００３７】
参照符号６２で示す第１係合受部は、図１、図３及び図４に示すように、側枠４４に形成され、溝条である第１係合部５２と係合して、カバー４０の側方への移動を抑制する。図に示すように、第１係合受部６２は、溝条形状の第１係合部５２に嵌まる突条とすることができる。
第１係合受部６２も、第１係合部５２に対応した数だけ形成することができる。
【００３８】
第２係合受部６４は、図１、図３及び図５に示すように、側枠４４に形成され、第２係合部５４と係合して、カバー４０の背面方向への移動を抑制する。図に示すように、第２係合受部６４は、爪片又は凹部形状の第２係合部５４に対して、第２係合部５４が嵌まる凹部とすることができる。第２係合受部６４は、図５に示すように、第２係合部５４の引掛部５６と面接触する当接部６５を有することが望ましい。当接部６５は、引掛部５６と略平行に延びている。
【００３９】
第２係合受部６４は、第２係合部５４に対応した数だけ形成することができる。
【００４０】
その他、上覆面４２、側枠４４及び／又は下枠４６には、突起や凹部からなる背面筺体３０への位置決め手段を設けることができる。
【００４１】
上記構成の係合構造は、カバー４０を背面筺体３０に装着することで実現される。
より具体的には、図１に示すように、カバー４０を、背面筺体３０の背面に押し付ける。これにより、係合部５０，５２，５４と係合受部６０，６２，６４が夫々係合し、カバー４０が背面筺体３０に装着される。
【００４２】
より詳細には、図４に示すように、突条である第１係合部５０が、溝条である第１係合受部６０に嵌まり、また、溝条である第１係合部５２に突条である第１係合受部６２が嵌まる。同様に、爪片５５又は凹部５５’である第２係合部５４と第２係合受部６４が嵌まる。
【００４３】
第１係合部５０，５２と第１係合受部６０，６２が係合することで、側枠４４が側方に膨らんだり、撓むことが規制され、カバー４０の側方への移動（図４中矢印Ｆ１、Ｆ２で示す）が抑制される。
【００４４】
また、第２係合部５４と第２係合受部６４が係合することで、爪片５５又は凹部５５’の引掛部５６が当接部６５と当たるから、側枠４４が背面方向に膨らんだり、撓むことが規制され、カバー４０の背面方向への移動（図５中矢印Ｆ３で示す）が抑制される。
【００４５】
上記により、側枠４４は、側方及び背面方向の２方向の移動が規制されるから、カバー４０を取り外すことは困難となる。
【００４６】
カバー４０を装着した状態で、前面筺体２２に背面筺体３０を固定するビス７０，７２の少なくとも１（参照符号７０で示す）は隠されて視認不能であるから、カバー４０を背面筺体３０から取り外し難くすることで、電子機器１０の分解等を困難とすることができる。
【００４７】
とくに、実施形態にて説明した側枠４４の如く細幅で撓み易い位置に本発明の係合構造を採用することで、これら部位からのカバー４０の取外しを好適に防ぐことができる。
【００４８】
上記説明は、本発明を説明するためのものであって、特許請求の範囲に記載の発明を限定し、或いは範囲を限縮するように解すべきではない。また、本発明の各部構成は、上記実施例に限らず、特許請求の範囲に記載の技術的範囲内で種々の変形が可能であることは勿論である。
【００４９】
また、本発明において、上記に説明するような係合構造を採用することで、カバー４０を容易に取り外すことができないようにしたものであるが、この取り外すことのできない主体は、取り外すための特別な技術や装置を有しないユーザを意図したものであり、技術者や、メーカーの修理者などを、主体としたものではない。
【００５０】
たとえば、上記実施形態では、第１係合部と第１係合受部は２種類例示しているが、何れか一方でもよい。また、係合部の形状、個数、位置は上記に限定されるものでないことは勿論である。
【符号の説明】
【００５１】
１０  電子機器
２０  筺体
２２  前面筺体
３０  背面筺体
４０  カバー
４４  側枠
４６  下枠
５０  第１係合部（突条）
５２  第１係合部（溝条）
５４  第２係合部
６０  第１係合受部（溝条）
６２  第１係合受部（突条）
６４  第２係合受部
７０  ビス
【図１】
2014232974.tif 000003
【図２】
2014232974.tif 000004
【図３】
2014232974.tif 000005
【図４】
2014232974.tif 000006
【図５】
2014232974.tif 000007